(57)【要約】【課題】多様なユーザが容易に扱える自動原稿送り装置を備えた画像形成装置を提供すること。【解決手段】原稿詰まりの発生を検知する検知手段を有し、詰まった原稿を取り除くための開閉可能な外装、および／または開放可能な原稿搬送ガイドと前記外装、および／または前記原稿搬送ガイドの開放を制御する制御手段を有する自動原稿送り装置を備えた画像形成装置において、前記制御手段は原稿詰まりの発生を検知した前記検知手段の情報に基づいて、前記外装、あるいは前記外装と前記原稿搬送ガイドの両方を、開放手段を作動させて開放することを特徴とする画像形成装置。【選択図】　　　　図２
2004043103.tif 000002
【特許請求の範囲】
【請求項１】
原稿詰まりの発生を検知する検知手段を有し、詰まった原稿を取り除くための開閉可能な外装、および／または開放可能な原稿搬送ガイドと前記外装、および／または前記原稿搬送ガイドの開放を制御する制御手段を有する自動原稿送り装置を備えた画像形成装置において、前記制御手段は原稿詰まりの発生を検知した前記検知手段の情報に基づいて、前記外装、あるいは前記外装と前記原稿搬送ガイドの両方を、開放手段を作動させて開放することを特徴とする画像形成装置。
【請求項２】
前記制御手段は、更に、前記開放手段の作動とともに音声発生手段を作動させ、音声により原稿詰まり発生、あるいは発生箇所、あるいは発生と発生箇所の両方を告知することを特徴とする請求項１に記載の画像形成装置。
【請求項３】
原稿台に載置された原稿の先端を検知するセンサと、前記原稿の両幅方向を規制する可動規制板に取り付けられた原稿の両側縁を検出するセンサを設け、複数の前記センサが原稿を検知した情報に基づいて、原稿が正しい位置に載置されたことを音声発生手段により告知するように制御手段で制御する自動原稿送り装置を備えた画像形成装置。
【発明の詳細な説明】
【０００１】
【発明の属する技術分野】
本発明は、自動原稿送り装置を備えた、複写機、プリンタ、ファクシミリ等の画像形成装置に関する。
【０００２】
【従来の技術】
自動原稿送り装置を備えた画像形成装置は、両面原稿の複写をはじめ、その高機能化につれ、ますます使用方法が複雑化してきている。その機能を十分に使いこなすためには、ユーザはより多くの知識を必要とし、さらに原稿詰まりや、転写材（以下、用紙と称す）の詰まりをはじめとする装置の使用中に発生する各種の不都合に対しては、機能の増加と共に一層表示内容が増加した表示手段を参照して、より注意深い対応作業をすることが要求されるようになってきた。
【０００３】
自動原稿送り装置を有する画像形成装置においては、一例として、原稿の原稿台への載置は原稿の両幅方向を規制板で規制し、原稿の先端をセンサで検出し、原稿が検出されると短い音を発生させることにより、正しい位置への原稿載置が行われたことを知らせている。しかしながら、原稿が多量で、ある程度の厚みを有している場合には、特に不都合をもたらすことはないが、原稿が少なく、その両側がカーリングしている場合には、規制板による原稿の幅規制が容易ではなく、結果として不適切な原稿載置が起こる場合がある。
【０００４】
また、原稿搬送路での原稿詰まりが発生した場合、画像形成装置の操作部の一部に設けた表示ランプ、液晶等の表示手段を用いて、原稿詰まりの発生の表示と原稿詰まりの発生箇所を表示するとともに、警告音を発生させるように構成してあり、ユーザは前記の警告音により注意を喚起され、表示手段に表示された内容を確認して対応作業にうつる。対応作業とは、通常、自動原稿送り装置の外装を開け、原稿搬送路のガイドを開くか、あるいは取り外し、詰まっている原稿を取り除くことをいう。
【０００５】
しかしながら、自動原稿送り装置に不慣れなユーザや、視覚に障害を持つユーザにとって上記の対応作業とることは容易ではない。
【０００６】
この問題を軽減するために、音声による警告と、対応作業の指示をするという方法も考えられるが、なかなか満足すべき結果は得られていない。
【０００７】
【発明が解決しようとする課題】
本発明は、上述の不具合に鑑みてなされたもので、その目的は、多様なユーザに対し、自動原稿送り装置の原稿台の正しい位置への原稿の載置が可能であり、また、原稿詰まりへの対応作業が容易な画像形成装置を提供することにある。
【０００８】
【課題を解決するための手段】
本発明の目的は、以下の手段により達成できる。
【０００９】
（１）　原稿詰まりの発生を検知する検知手段を有し、詰まった原稿を取り除くための開閉可能な外装、および／または開放可能な原稿搬送ガイドと前記外装、および／または前記原稿搬送ガイドの開放を制御する制御手段を有する自動原稿送り装置を備えた画像形成装置において、前記制御手段は原稿詰まりの発生を検知した前記検知手段の情報に基づいて、前記外装、あるいは前記外装と前記原稿搬送ガイドの両方を、開放手段を作動させて開放することを特徴とする画像形成装置。
【００１０】
（２）　前記制御手段は、更に、前記開放手段の作動とともに音声発生手段を作動させ、音声により原稿詰まり発生、あるいは発生箇所、あるいは発生と発生箇所の両方を告知することを特徴とする（１）に記載の画像形成装置。
【００１１】
（３）　原稿台に載置された原稿の先端を検知するセンサと、前記原稿の両幅方向を規制する可動規制板に取り付けられた原稿の両側縁を検出するセンサを設け、複数の前記センサが原稿を検知した情報に基づいて、原稿が正しい位置に載置されたことを音声発生手段により告知するように制御手段で制御する自動原稿送り装置を備えた画像形成装置。
【００１２】
【発明の実施の形態】
本発明に関わる実施の形態を、以下、図面に基づいて説明する。
【００１３】
図１は画像形成装置の概略構成図である。画像形成装置は自動原稿送り装置ＡＤＦ、読み取り部Ｂ、および画像形成部Ａからなる。
【００１４】
自動原稿送り装置ＡＤＦは、後に詳細に説明されるが、原稿台２０から原稿Ｄを給紙し、読み取り部Ｂで原稿読み取りが可能なように原稿Ｄを搬送する。
【００１５】
読み取り部Ｂの光学系は、光源１４１と第１ミラー１４２からなる露光ユニット１４、第２ミラー１５１と第３ミラー１５２からなるＶミラーユニット１５、レンズ１６、ＣＣＤイメージセンサ１７により構成されている。
【００１６】
前記露光ユニット１４はスリット露光用ガラス１３の下方にある初期位置に停止した状態にあり、自動原稿送り装置ＡＤＦにより露光用ガラス１３上面を走行する原稿Ｄを走査することにより読み取りを行う。
【００１７】
また、自動原稿送り装置ＡＤＦは原稿台ガラス１１の上に置かれた原稿Ｄを上部から押さえるプラテンカバーとしての機能も有しており、図１の奥側を開閉軸として開閉することができる。この場合、自動原稿送り装置ＡＤＦを開き、原稿台ガラス１１の所定位置に原稿Ｄをセットして、再度自動原稿送り装置ＡＤＦを閉じることにより原稿Ｄを押さえ、露光ユニット１４とＶミラーユニット１５の二つのユニットを移動させ原稿Ｄを走査することにより読み取りを行う。
【００１８】
画像形成部Ａは、回転する像坦持体（以下、感光体と称す）１の周囲に、帯電手段２、像露光手段３、現像手段４、転写手段５、除電手段６Ａ、分離爪６Ｂ、および、クリーニング手段７を配置し、先ず、帯電手段２によって感光体１の表面を一様に帯電した後に、前記読み取り部Ｂにより読み取られた画像情報を像露光手段３のレーザビームで走査露光することにより静電潜像の形で感光体１の上に記録する。前記静電潜像は現像手段４により反転現像されて感光体１の表面にトナー像が作られる。
【００１９】
一方、用紙収納手段８Ａから給紙された用紙Ｐはレジストローラ８Ｒによって感光体１に突き当たる位置まで送られ、感光体１の表面に密着した状態で移動して、次に、転写手段５の作用により前記感光体１上のトナー像は用紙Ｐ上に転写される。その後、用紙Ｐは除電手段６Ａにより除電され分離爪６Ｂにより感光体１から分離され中間搬送手段８Ｂにより定着手段９まで搬送される。トナー像を坦持した前記用紙Ｐは、定着手段９によって加圧加熱による定着処理を受けた後、排紙手段８Ｃにより排紙皿８Ｄに排出される。
【００２０】
用紙Ｐの両面に画像を形成する場合には、前記定着手段９により定着処理された用紙Ｐを、搬送路切り替えガイド８Ｅを実線位置から破線位置へ移動させることにより、搬送ローラ８Ｇに送り、さらに搬送ローラ８Ｆまで搬送する。搬送ローラ８Ｆは、センサ８Ｋが用紙Ｐの後端を検出すると回転を停止し、その後、当該搬送ローラ８Ｆは逆回転するように制御される。前記逆回転により逆送された用紙Ｐは、弧状のガイド部を介して搬送ローラ８Ｊ方向に送られ、表裏が反転した状態となる。反転した用紙Ｐは再度、レジストローラ８Ｒにて感光体１に向かって給送され、裏面への画像形成に供される。
【００２１】
次に、自動原稿送り装置ＡＤＦについて詳細に説明をする。
先ず、自動原稿送り装置ＡＤＦの原稿台２０への原稿Ｄの載置が正しく行われたか否かを自動的に確認するための構成について説明をする。
【００２２】
図２は自動原稿送り装置ＡＤＦの断面図である。
原稿台２０に原稿Ｄを載置すると、原稿Ｄは先端規制板２２Ａにより先端位置が規制され、幅方向の位置は規制板２０Ａにより規制される。
【００２３】
押し上げ板２２の原稿Ｄの先端が位置する部分には原稿Ｄの有無を検出するセンサＤ１が設けられている。
【００２４】
図３は原稿台２０の上面図であるが、前記規制板２０Ａは原稿を挟んで対向する２つのＬ型の部材であり、これら規制板２０Ａは中心線Ｌを対称に可動であって、原稿台２０に載置された原稿Ｄの幅に合わせた位置にセットされる。本発明においては、規制板２０Ａの原稿Ｄの側縁が接触する下面に原稿Ｄの有無を検出するためのセンサＤ２、Ｄ３を設け、得られた情報を前記センサＤ１の情報と共に制御部ＣＬ２に取り込むことにより、原稿Ｄが正しく原稿台２０に載置されたか否かを確認するようにしてある。
【００２５】
前記センサＤ１、Ｄ２、Ｄ３の全てが原稿Ｄの存在を検知した時には、制御部ＣＬ２は原稿Ｄが正しく原稿台２０に載置されたと判断し、判断結果の情報を画像形成部Ａの制御部ＣＬ１に送る。
【００２６】
前記判断結果の情報を受けた制御部ＣＬ１は音声発生手段Ｖを働かせる。
図４は画像形成装置の操作部近傍を示す斜視図である。操作部ＰＮには、画像形成装置を使用する際に使われる操作ボタンや表示部がおかれている。また、操作部ＰＮの近くに取り付けられたスピーカＳＰは前記音声発生手段Ｖにて駆動され、原稿が原稿台２０に正しく載置されたとの音声を出力する。
【００２７】
原稿Ｄの枚数が多く、ある程度の厚みを持っている場合には前記の規制板２０Ａが原稿Ｄの両側縁につき当たっていることの確認は容易であるが、原稿Ｄの枚数が少ない場合の原稿台２０への原稿載置の確認は、原稿Ｄの両側縁が容易に変形するために注意深さを要する。
【００２８】
本発明の３カ所に取り付けられたセンサＤ１、Ｄ２、Ｄ３による原稿Ｄの載置検出と音声によるアナウンスは、前述の少量の原稿Ｄ載置が正しく行われた否かの確認を、より確実に行うもので、特に、視覚に障害を持つユーザに有用なものである。
【００２９】
次に、図２に戻り、片面原稿読取りと両面原稿読取りの場合の作動に従って、自動原稿送り装置ＡＤＦの機能と構造を説明する。
【００３０】
（１）片面読取り
原稿台２０に積載された原稿Ｄの先端部は、押し上げ板２２により送り出しローラ２１に押し当てられている。原稿Ｄが原稿台２０の正しい位置に載置されたか否かは、前述のセンサＤ１、Ｄ２、Ｄ３から得られる情報により自動的に確認される。
【００３１】
送り出しローラ２１により給出された原稿Ｄは分離搬送ローラ２３と捌きローラ２４により１枚に分離され、送り出される。前記原稿Ｄはレジストローラ２５に突き当たって、前記レジストローラ２５の手前近傍の原稿搬送路に設けられたセンサＳ１の検知信号により一時停止した後に、再びレジストローラ２５の回転開始により搬送される。
【００３２】
レジストローラ２５により搬送された原稿Ｄは、実線の位置にある可動原稿搬送ガイド３１によりＰＡＴＨ１に案内されて、次に、搬送ローラ２６によりプラテンローラ２７とスリット露光用ガラス１３の間を通過するように搬送される。なお、この際、搬送ローラ２６の近傍で搬送路の下流に設けられたセンサＳ２により原稿Ｄの有無が検出され、後述の原稿詰まりの検出のための情報として使用される。
【００３３】
原稿Ｄは、スリット露光用ガラス１３を通過する際、読み取り部Ｂによって原稿読取りが行われ、その後、原稿Ｄは搬送ローラ２８、実線位置にある切替ガイド３３、排紙ローラ３４により搬送されて排紙皿３５に排紙される。
【００３４】
（２）両面読取り
原稿台２０に昇順に第１ページを上面にして積載された多数枚の原稿Ｄは、押し上げ板２２により送り出しローラ２１に押し当てられている。
【００３５】
送り出しローラ２１により給出された原稿Ｄは分離搬送ローラ２３と捌きローラ２４により１枚に分離され、送り出される。前記原稿Ｄはレジストローラ２５に突き当たってセンサＳ１の検知信号により一時停止した後にレジストローラ２５により搬送される。
【００３６】
レジストローラ２５により搬送された原稿Ｄは破線の位置に変位している可動搬送ガイド３１、３２により案内されて搬送路ＰＡＴＨ２に進む。前記原稿Ｄは反転ローラ２９により引き続き進行するが、原稿Ｄの終端が切替ガイド３３の上部位置に設けられたセンサＳ３により検出されると反転ローラ２９の回転が停止することにより一旦停止し、次に、前記反転ローラ２９が逆回転することにより逆送される。この時、可動搬送ガイド３１、３２は実線で示される位置に復帰しており、前記の逆送された原稿Ｄは表裏反転された形でＰＡＴＨ１に進行する。なお、ローラ３０は従動ローラであり、反転ローラ２９、または排紙ローラ３４により連れ回りする。
【００３７】
前記ＰＡＴＨ１に進行した原稿Ｄは、搬送ローラ２６、プラテンローラ２７により搬送されて、原稿裏面の読取りが実行される。原稿裏面読取り後、前記原稿Ｄは破線の位置に変位した切替ガイド３３により案内されて搬送路ＰＡＴＨ２へ進行する。
【００３８】
前記搬送路ＰＡＴＨ２に進行した原稿Ｄは、引き続き反転ローラ２９により進行するが、前記センサＳ３により原稿Ｄの終端が検出されると、反転ローラ２９の回転が停止することにより一旦停止し、次に、前記反転ローラ２９が逆回転することにより逆方向に進行を始める。この時、可動搬送ガイド３１、３２は実線の位置にあり、その結果、原稿Ｄは表裏逆転された状態でＰＡＴＨ２からＰＡＴＨ１へ進行する。
【００３９】
原稿Ｄは搬送ローラ２６、およびプラテンローラ２７により搬送され、原稿Ｄの表面の読取りが実行される。読取り後の原稿Ｄは、実線の位置にある切替ガイド３３に案内され、排紙ローラ３４により搬送されて排紙皿３５に排紙される。
【００４０】
次に、図２の構成を随時おりまぜながら、論理の流れを示すフローチャートである図５、図６、図７、図８に基づき原稿詰まりの検出について説明をする。
【００４１】
原稿詰まりの検出は、図２で示され、前述された原稿搬送路に設けられた３個のセンサＳ１、Ｓ２、Ｓ３が検知する原稿Ｄの有無の情報と、自動原稿送り装置ＡＤＦの機械的動作に関わる情報を、自動原稿送り装置ＡＤＦの制御部ＣＬ２にて論理的に処理することにより行われる。また、論理的な処理は全て制御部ＣＬ２に搭載されているマイクロコンピュータによりソフト的に処理されている。図５、図６、図７、図８はこの論理をフローチャートの形式で表現したものであるが、類似説明の重複を避けるため、ここでは、センサＳ１により送り出しローラ２１からセンサＳ１に至る原稿搬送路での原稿詰まりを検知する論理の流れを示す図５を代表例として説明をする。
【００４２】
なお、図６はセンサＳ２によるレジストローラ２５からセンサＳ２に至る原稿搬送路での原稿詰まり、および、レジストローラ２５からセンサＳ３に至る原稿搬送路での原稿詰まりを検知するための、図７はセンサＳ２からセンサＳ３に至る原稿搬送路での原稿詰まりを検知するための、図８は反転ローラ２９からセンサＳ２に至る搬送路での原稿詰まりを検知するための論理の流れを示す。
【００４３】
原稿詰まりルーチンは送り出しローラ２１の回転開始と共にスタートし、制御部ＣＬ２のマイクロコンピュータのメモリ内の適宜のアドレスに設けられたカウンタＣ１の内容をゼロにリセットする（ＳＴＥＰ１）。その後、マイクロコンピュータのクロック信号を分周して得られるタイマー割り込み信号が取り込まれるごとに前記カウンタＣ１の数値を１ずつ増加させ、割り込み信号数を積算する（ＳＴＥＰ２）。前記カウンタＣ１に積算された数値（以下、Ｎ１と称す）は、その値が変更されるごとにあらかじめメモリ内のテーブルに設定されている常数（以下、Ｊ１と称す）と比較される（ＳＴＥＰ３）。
【００４４】
なお、Ｊ１はあらかじめ、前記割り込み信号の周期、原稿Ｄの搬送される速度、送り出しローラ２１とセンサＳ１の距離を勘案して値が設定されている。
【００４５】
Ｎ１がＪ１に等しくなった時、センサＳ１から制御部ＣＬ２に取り込まれた情報を参照し、センサＳ１が原稿Ｄを検知していれば、原稿Ｄの搬送は正常になされたものと判断し、もし、原稿Ｄが検知されていなければセンサＳ１が取り付けられている位置より以前の搬送路で原稿詰まりが発生したと判断し、プログラムは原稿詰まり処理ルーチンへとジャンプする（ＳＴＥＰ４）。
【００４６】
原稿詰まり処理ルーチンでは、自動原稿送り装置ＡＤＦの機械的駆動を停止すると共に、本発明においては、後述する第１開放手段Ｆ１を作動することにより自動原稿送り装置ＡＤＦの外装ＣＶを、また、第２開放手段Ｆ２を作動させることにより可動搬送ガイド３１、３２を開放状態にするような処理を実行すると共に、原稿詰まりの発生情報を原稿自動送り装置ＡＤＦの制御部ＣＬ２から画像形成部Ａの制御部ＣＬ１へ送る。
【００４７】
前記画像形成部Ａの制御部ＣＬ１は原稿詰まり発生情報を受け次第、すでに説明をした図４にて示される画像形成装置の読み取り部Ｂの手前上面に設けられた操作表示部ＰＮ（表示部の詳細は不図示）に警告表示を行うと同時に、音声発生手段Ｖにより操作部面に取り付けられたスピーカを駆動して原稿詰まり発生、あるいは発生箇所、あるいは発生と発生箇所の両方のアナウンスをする。
【００４８】
図９は自動原稿送り装置ＡＤＦの外装ＣＶ、および可動搬送ガイド３１、３２が開放された状態を破線にて模式的に示すものである。
【００４９】
図１０、図１１は外装ＣＶを開放するための第１開放手段Ｆ１の構成を模式的に示すものである。
【００５０】
図１０は、自動原稿送り装置ＡＤＦの上面にある外装ＣＶのラッチ機構を示す。
【００５１】
本図にて示されるように、外装ＣＶは、開閉支点Ｈを中心にして矢印Ｙの方向に回転可能である。外装ＣＶが閉じられた状態では、自動原稿送り装置ＡＤＦ本体に取り付けられている金属バー３９に、外装ＣＶに取り付けられている外装ラッチ爪３７が掛かった状態にあり、外装ＣＶが不用意に開放されないようになっている。前記外装ラッチ用爪３７はバネ３８により金属バー３９に押接されているので、外装ＣＶを開くには、あらかじめ手動機構（不図示）あるいは制御部ＣＬ２によりラッチ解除ソレノイドＳＮ１を作動させて、外装ラッチ爪３７を金属バーからはずす必要がある。
【００５２】
図１１は外装ＣＶの開閉支点Ｈの近傍を模式的に示す上面図である。本図により、前述の図１０を基に説明された外装ＣＶの外装ラッチ爪３７が金属バー３９からはずされた場合の説明をする。
【００５３】
Ｍ１は自動原稿送り装置ＡＤＦの本体の基体に取り付けられた減速機付きの小型モータで、出力軸の回転速度は、毎秒１回転程度であり、動作の開始と停止は制御部ＣＬ２により行われる。レバー４６はモータＭ１の出力軸に取り付けられた金属部材４１、４３、４５、バネ４４、摩擦材４２からなる摩擦クラッチ機構ＣＨにより回転力を得て、外装ＣＶに固定されている金属部材４７を押し上げることにより、適宜の速度で外装ＣＶを開くことができる。なお、外装ＣＶはを手動で閉じられるが、その際には、レバー４６は金属部材４７により元の位置まで、前記摩擦クラッチ機構を構成する部品であるところの摩擦材４２と摺動しながら押し下げられる。
【００５４】
図１２、図１３は可動搬送ガイド３１、３２を開放するための第２開放手段Ｆ２を模式的に示すものである。
【００５５】
図１２においては、実線にて可動搬送ガイド３１、３２が自動原稿送り装置ＡＤＦの搬送路にある状態を示し、破線にて開放された状態を示している。
【００５６】
図１３は、図１２の実線にて示される位置にある可動搬送ガイドを支持しているレバー５０を、ラッチ爪５１が前記レバー５０に掛かっていることにより、バネ５３による前記レバー５０の破線位置方向への動きが規制されている状態を示している。
【００５７】
第２開放手段Ｆ２による開放動作は、制御部ＣＬ２によりソレノイドＳＮ２を作動させてラッチ爪５１をレバー５０からはずし、図１２で示されるようにレバー５０をバネ５３の作用により回転させ、前記可動搬送ガイド３１、３２を図１２の破線で表される位置に移動することにより実現される。なお、前述の第２開放手段Ｆ２による可動搬送ガイド３１、３２の開放は、前述の第１開放手段Ｆ１による外装ＣＶの開放動作が終了後に実行されるように制御部ＣＬ２により制御されている。
【００５８】
本発明においては、前述したように原稿自動送り装置ＡＤＦ内の原稿搬送路に設けられた３個のセンサＳ１、Ｓ２、Ｓ３が検知する原稿Ｄの有無の情報と自動原稿送り装置ＡＤＦの機械的動作に関わる情報を、画像形成装置の制御手段であるところの自動原稿送り装置ＡＤＦの制御部ＣＬ２と画像形成部Ａの制御部ＣＬ１にて論理的な処理と制御をすることにより、原稿詰まりが検知されると、先ず、自動原稿送り装置ＡＤＦの搬送部の機械的駆動部が停止し、原稿詰まりの発生警報と発生箇所が表示部ＰＮに表示され、さらに原稿詰まりの発生箇所と対応手段が音声発生手段によりアナウンスされるとともに、第１開放手段Ｆ１により外装ＣＶが自動的に開き、次に可動搬送ガイド３１、３２が、第２開放手段Ｆ２により開放状態になる。
【００５９】
上記のような動作により、自動原稿送り装置ＡＤＦにおける原稿詰まりの発生箇所の認知と原稿詰まりへの対応作業が大幅に簡易化され、画像形成装置の使用における作業性の改善がもたらされる。
【００６０】
【発明の効果】
本発明により、多様なユーザに対し、原稿を正しい位置への載置ができ、また原稿詰まりが発生した際にも容易に対応することができる自動原稿送り装置を備えた画像形成装置を提供することができる。
【図面の簡単な説明】
【図１】画像形成装置の構成を示す概略図である。
【図２】自動原稿送り装置の構成を示す断面図である。
【図３】原稿台の上面図で、センサ位置を示す。
【図４】画像形成装置の操作部を示す斜視図である。
【図５】原稿詰まりの検出論理を表すフローチャートである。
【図６】原稿詰まりの検出論理を表すフローチャートである。
【図７】原稿詰まりの検出論理を表すフローチャートである。
【図８】原稿詰まりの検出論理を表すフローチャートである。
【図９】外装、可動搬送ガイドの開放位置を示す概略図である。
【図１０】外装の閉じた状態を示す概念図である。
【図１１】外装の開放手段の概念図である。
【図１２】可動搬送ガイドの開放手段の概念図である。
【図１３】可動搬送ガイドの開放手段のラッチ部を示す概念図である。
【符号の説明】
ＡＤＦ　自動原稿送り装置
Ａ　画像形成部
Ｂ　読み取り部
ＣＬ１　画像形成部の制御部
ＣＬ２　自動原稿送り装置の制御部
ＣＶ　外装
Ｖ　音声発生手段
Ｄ　原稿
Ｐ　転写材（用紙）
３１　可動搬送ガイド
３２　可動搬送ガイド
３３　切替ガイド
【図１】
2004043103.tif 000003
【図２】
2004043103.tif 000004
【図３】
2004043103.tif 000005
【図４】
2004043103.tif 000006
【図５】
2004043103.tif 000007
【図６】
2004043103.tif 000008
【図７】
2004043103.tif 000009
【図８】
2004043103.tif 000010
【図９】
2004043103.tif 000011
【図１０】
2004043103.tif 000012
【図１１】
2004043103.tif 000013
【図１２】
2004043103.tif 000014
【図１３】
2004043103.tif 000015